(57)【特許請求の範囲】
【請求項１】
下記（ａ）成分、（ｂ）成分及び（ｃ）成分を含有し、（ｂ）成分と（ｃ）成分のモル比が、（ｂ）／（ｃ）＝５〜３０であり、かつ２０℃におけるｐＨが４〜７である、液体漂白剤組成物。
（ａ）過酸化水素又は水中で過酸化水素を生成する化合物
（ｂ）アルカノイルオキシベンゼンスルホン酸、アルカノイルオキシベンゼンカルボン酸及びそれらの塩から選ばれる少なくとも１種の漂白活性化剤
（ｃ）Ｍｏ、Ｉｒ及びＡｇから選ばれる元素のハロゲン化塩及び硝酸塩並びに酸化物から選ばれる少なくとも１種
【請求項２】
組成物中の（ａ）成分の含有量が０．１〜３０質量％、（ｂ）成分の含有量が０．１〜１０質量％、（ｃ）成分の含有量が０．０１〜１．０質量％である、請求項１記載の液体漂白剤組成物。
【請求項３】
（ｂ）成分が有するアルカノイルオキシ基が、炭素数８〜１４の直鎖又は分岐鎖のアルカノイルオキシ基である、請求項１又は２記載の液体漂白剤組成物。
【請求項４】
（ｂ）成分が有するアルカノイルオキシ基が、炭素数８〜１４の分岐鎖のアルカノイルオキシ基であり、かつアルカノイルオキシ基のエステル結合を形成する炭素原子のα位又はβ位に側鎖を有するものである、請求項１〜３いずれかに記載の液体漂白剤組成物。
【請求項５】
更に、（ｄ）界面活性剤を含有する請求項１〜４いずれかに記載の液体漂白剤組成物。
【請求項６】
下記（ａ）成分、（ｂ）成分、（ｃ）成分及び（ｄ）成分を含有し、（ｂ）成分と（ｃ）成分のモル比が、（ｂ）／（ｃ）＝５〜３０であり、かつ２０℃におけるｐＨが４〜７である、液体漂白洗浄剤組成物。
（ａ）過酸化水素又は水中で過酸化水素を生成する化合物
（ｂ）アルカノイルオキシベンゼンスルホン酸、アルカノイルオキシベンゼンカルボン酸及びそれらの塩から選ばれる少なくとも１種の漂白活性化剤
（ｃ）Ｍｏ、Ｉｒ及びＡｇから選ばれる元素のハロゲン化塩及び硝酸塩並びに酸化物から選ばれる少なくとも１種
（ｄ）界面活性剤
【発明の詳細な説明】
【技術分野】
【０００１】
本発明は、液体漂白剤組成物及び液体漂白洗浄剤組成物に関する。
【背景技術】
【０００２】
過酸化水素、漂白活性化剤等の漂白成分を配合した液体漂白剤組成物は、漂白剤組成物の安定性と漂白効果を両立させる観点から、漂白剤組成物の保存時のｐＨを酸性（例えば、ｐＨ２〜３）にする必要がある。一方、漂白剤や漂白洗浄剤分野において、使用時に水で希釈することでｐＨを上昇させる技術（ｐＨジャンプ技術）が知られているが、水で希釈した場合に満足できる漂白効果及び洗浄効果を得る為には、水希釈後の組成物のｐＨを例えば９以上に上昇させる必要がある。その達成手段としては、水希釈前（保存時）の組成物のｐＨを予め４以上に調整することが必要である。しかしながら、このように保存時のｐＨを４以上に調整した場合、組成物中の漂白成分の安定性に問題が生じる。過酸化水素の安定性は一般的なラジカル捕捉剤により高められるが、漂白活性化剤の安定化は困難であり、その改善方法が求められている。
【０００３】
特許文献１には、水への溶解度の小さいアミド又はイミド有機ペルオキシ酸／界面活性剤／ｐＨ調整系（ホウ酸塩／ポリオール）を含有する汚れ落とし組成物が開示されている。この特許文献１は、水不溶性の有機過酸を用いた固体分散系による水中での安定化技術を開示したものであり、過酸化水素を含有する系では無く、単にこの技術を用いただけでは、漂白活性化剤（過酸前駆体）の安定性は改善されない。
【０００４】
特許文献２には、固体で水不溶性の有機ペルオキシ酸／界面活性剤／ｐＨジャンプ系（ボレート／ポリオール）／寒天又は糖類を含有する汚れ落とし組成物が開示されている。しかしこの技術を用いただけでは、過酸化水素中での漂白活性化剤の安定化は実現できない。
【０００５】
特許文献３には、フェノール誘導体により、高いｐＨ領域（ｐＨ４〜７）で過酸化水素を安定化させた液体漂白剤組成物が開示されている。しかしこの技術では、過酸化水素の安定性は改善されるが、漂白活性化剤の安定化は達成できない。
【０００６】
特許文献４には、Ｂａ、Ｔｉ、Ｆｅ等の金属により酸性領域（ｐＨ２）で漂白活性化剤を安定化させた液体漂白剤組成物が開示されている。しかしこの技術を高いｐＨ（ｐＨ４〜７）の液体漂白剤組成物に用いても、漂白活性化剤の安定化効果を得るには不十分である。
【特許文献１】特開平６−１００８８８号公報
【特許文献２】特開平７−７０５９３号公報
【特許文献３】特開平１１−１８１４９２号公報
【特許文献４】特開平７−３０５０９４号公報
【発明の開示】
【発明が解決しようとする課題】
【０００７】
本発明の課題は、ｐＨ４〜７の弱酸性領域での漂白活性化剤の安定性を飛躍的に向上させた液体漂白剤組成物及び液体漂白洗浄剤組成物を提供することにある。
【課題を解決するための手段】
【０００８】
本発明者等は、鋭意研究の結果、特定の元素の塩又は酸化物を特定割合で含む組成物が、ｐＨ４〜７の弱酸性領域での漂白活性化剤の安定性を飛躍的に向上させ得ることを見出した。
【０００９】
即ち、本発明は下記（ａ）成分、（ｂ）成分及び（ｃ）成分を含有し、（ｂ）成分と（ｃ）成分のモル比が、（ｂ）／（ｃ）＝５〜３０であり、かつ２０℃におけるｐＨが４〜７である液体漂白剤組成物、並びに下記（ａ）成分、（ｂ）成分、（ｃ）成分及び（ｄ）成分を含有し、（ｂ）成分と（ｃ）成分のモル比が、（ｂ）／（ｃ）＝５〜３０であり、かつ２０℃におけるｐＨが４〜７である液体漂白洗浄剤組成物を提供する。
（ａ）過酸化水素又は水中で過酸化水素を生成する化合物
（ｂ）アルカノイルオキシベンゼンスルホン酸、アルカノイルオキシベンゼンカルボン酸及びそれらの塩から選ばれる少なくとも１種の漂白活性化剤
（ｃ）元素周期表の第４族〜第１１族でかつ第５周期〜第６周期の元素の塩及び酸化物から選ばれる少なくとも１種
（ｄ）界面活性剤
【発明の効果】
【００１０】
本発明の組成物は、ｐＨ４〜７において、漂白活性化剤の安定化を実現でき、貯蔵後でも優れた漂白洗浄性能を有し、液体漂白剤及び液体漂白洗浄剤として有用である。
【発明を実施するための最良の形態】
【００１１】
［（ａ）成分］
本発明の組成物は、（ａ）成分として過酸化水素又は水中で過酸化水素を生成する化合物を含有する。水中で過酸化水素を生成する化合物としては、過炭酸塩及び過ホウ酸塩等が挙げられる。
【００１２】
［（ｂ）成分］
本発明の組成物は、（ｂ）成分としてアルカノイルオキシベンゼンスルホン酸、アルカノイルオキシベンゼンカルボン酸及びそれらの塩から選ばれる少なくとも１種の漂白活性化剤を含有する。本発明の（ｂ）成分は、良好な貯蔵安定性を得る観点から、アルカノイルオキシ基が、炭素数８〜１４の直鎖又は分岐鎖のアルカノイルオキシ基であることが好ましく、更にアルカノイルオキシ基が、炭素数８〜１４の分岐鎖のアルカノイルオキシ基であり、かつアルカノイルオキシ基のエステル結合を形成する炭素原子のα位又はβ位に側鎖を有するものがより好ましい。
【００１３】
エステル結合を形成する炭素原子のα位又はβ位に側鎖を有するアルカノイルオキシ基としては、２−エチルヘキサノイル基、２−プロピルヘプタノイル基、３，５，５−トリメチルヘキサノイル基等が挙げられ、これら分岐アルカノイルオキシ基を有するベンゼンスルホン酸又はカルボン酸あるいはその塩が特に好ましい。塩としては、ナトリウム塩、カリウム塩、マグネシウム塩が好ましく、特にナトリウム塩が溶解性の点から好ましい。
【００１４】
（ｂ）成分の具体例としては、下記式（１−１）〜（１−４）で表される化合物が挙げられ、式（１−１）〜（１−２）で表される化合物が好ましい。
【００１５】
【化１】
0004818657.tif 000002
【００１６】
［（ｃ）成分］
本発明の組成物は、（ｃ）成分として元素周期表の第４族〜第１１族でかつ第５周期〜第６周期の元素の塩及び酸化物から選ばれる少なくとも１種を含有する。
【００１７】
元素周期表の第４族〜第１１族でかつ第５周期〜第６周期の元素の中では、元素周期表の第５族〜第１１族でかつ第５周期〜第６周期の元素が好ましく、元素周期表の第６族〜第１１族でかつ第５周期〜第６周期の元素が更に好ましい。これら元素の具体例としては、Ｍｏ、Ｎｂ、Ｔａ、Ｚｒ、Ｒｈ、Ｉｒ、Ａｇ、Ａｕ、Ｐｄ、Ｐｔ、Ｒｕ、Ｒｅ、Ｗ等が挙げられ、Ｍｏ、Ｎｂ、Ｔａ、Ｚｒ、Ｒｈ、Ｉｒ、Ａｇ、Ａｕ、Ｐｄ、Ｐｔが好ましい。
【００１８】
（ｃ）成分の具体例としては、塩化金、塩化白金、塩化パラジウム、塩化イリジウム、臭化モリブデン、塩化タンタル、塩化ルテニウム、塩化銀などのハロゲン化塩、硫酸レニウム、硫酸ジルコニウム、硫酸ニオブなどの硫酸塩、硝酸銀等の硝酸塩、モリブデン酸ナトリウム、タングステン酸ナトリウムなどのナトリウム塩、又は酸化パラジウム、酸化ロジウム、酸化レニウム、酸化モリブデン、酸化ルテニウム、酸化ニオブ、酸化タンタル、酸化銀などの酸化物が挙げられる。これらの中でも漂白活性化剤の安定化の観点から、塩化イリジウム、硝酸銀及び酸化モリブデンが好ましい。
【００１９】
［（ｄ）成分］
本発明の組成物は、液体漂白洗浄剤として用いる場合、優れた洗浄性を得る観点から、界面活性剤を含有することが好ましい。界面活性剤としては陰イオン界面活性剤、非イオン界面活性剤、陽イオン界面活性剤及び両性界面活性剤から選ばれる少なくとも１種を用いることができる。
【００２０】
陰イオン界面活性剤（以下（ｄ１）成分という）としては、炭素数１０〜１８のアルキル基又はアルケニル基を有するアルキルベンゼンスルホン酸塩、ポリオキシアルキレンアルキルエーテル硫酸エステル塩、アルキル硫酸エステル塩、α−オレフィンスルホン酸塩、α−スルホ脂肪酸塩又はα−スルホ脂肪酸低級アルキルエステル塩等が挙げられる。
【００２１】
アルキルベンゼンスルホン酸塩としては、洗剤用界面活性剤市場に一般に流通しているものの中で、アルキル基の平均炭素数が８〜１６のものであればいずれも用いることができ、例えば花王（株）製のネオペレックスＦ２５、Ｓｈｅｌｌ社製のＤｏｂｓ１０２等を用いることができる。また、工業的には、洗剤用原料として広く流通しているアルキルベンゼンをクロルスルホン酸、亜硫酸ガス等の酸化剤を用いてスルホン化して得ることもできる。アルキル基の平均炭素数は１０〜１４が好ましい。また、ポリオキシアルキレンアルキルエーテル硫酸塩としては、平均炭素数１０〜１８の直鎖もしくは分岐鎖１級アルコール又は直鎖２級アルコールに、エチレンオキシドを１分子当たり平均０．５〜５モル付加させ、これを例えば特開平９−１３７１８８号公報記載の方法を用いて硫酸化して得ることができる。アルキル基の平均炭素数は１０〜１６が好ましい。アルキル硫酸エステル塩としては炭素数１０〜１６、好ましくは１０〜１４の直鎖もしくは分岐鎖１級アルコール又は直鎖２級アルコールをＳＯ3又はクロルスルホン酸でスルホン化し、中和して得ることができる。α−オレフィンスルホン酸塩としては、炭素数８〜１８の１−アルケンをＳＯ3でスルホン化し、水和及び中和を経て成することができ、炭化水素基中にヒドロキシ基が存在する化合物と不飽和結合が存在する化合物の混合物である。また、α−スルホ脂肪酸低級アルキルエステル塩としては脂肪酸残基の炭素数は１０〜１６が好ましく、メチルエステル又はエチルエステルが洗浄効果の点から好ましい。塩としてはナトリウム塩、カリウム塩、マグネシウム塩、カルシウム塩、アルカノールアミン塩、アンモニウム塩が好適であり、洗浄効果の点からナトリウム塩、カリウム塩、マグネシウム塩が好ましい。
【００２２】
本発明では、洗浄効果の点から炭素数１０〜１４、エチレンオキシド平均付加モル数１〜３のポリオキシエチレンアルキル硫酸エステル塩、及び炭素数１１〜１５のアルキルベンゼンスルホン酸塩が特に良好である。
【００２３】
非イオン界面活性剤（以下（ｄ２）成分という）としては下記一般式（２）で表される化合物が好ましい。
【００２４】
Ｒ2a−Ｏ(ＥＯ)m(ＰＯ)n−Ｈ        （２）
［式中、Ｒ2aは炭素数８〜１８、好ましくは炭素数１０〜１８、更に好ましくは１２〜１４の炭化水素基、好ましくはアルキル基又はアルケニル基を示す。ＥＯはオキシエチレン基、ＰＯはオキシプロピレン基、ｍはＥＯの平均付加モル数を示す０〜２０の数、ｎはＰＯの平均付加モル数を示す０〜２０の数であり、ｍ及びｎの両者が０の場合を除く。好ましくはｍは６〜１５、より好ましくは７〜１２の数であり、ｎは０〜１０、より好ましくは１〜５、特に好ましくは１〜３の数である。］
なお、一般式（２）においては、ＥＯとＰＯとはランダム付加形態又はブロック付加形態のいずれの形態で配列されていてもよいが、漂白活性化剤の貯蔵安定性の観点から、下記一般式（３）で表される化合物が特に好ましい。
【００２５】
Ｒ3a-Ｏ-(Ｃ2Ｈ4Ｏ)p-(Ｃ3Ｈ6Ｏ)q-(Ｃ2Ｈ4Ｏ)rＨ    （３）
〔式中、Ｒ3aは炭素数８〜１８の炭化水素基であり、ｐ、ｑ及びｒはそれぞれ独立に１〜１０の数である。〕
一般式（３）において、Ｒ3aは炭素数８〜１８、好ましくは１０〜１４の炭化水素基であり、より好ましくはアルキル基又はアルケニル基であり、更に好ましくはアルキル基である。ｐ、ｑ及びｒはそれぞれ独立に１〜１０の数であり、２〜８の数が好ましい。
【００２６】
陽イオン界面活性剤（以下（ｄ３）成分という）としてはエステル基、アミド基で分断されていてもよい炭素数１０〜１８の炭化水素基を１つ又は２つと、残りが炭素数１〜３のアルキル基あるいはヒドロキシアルキル基である４級アンモニウム塩、好ましくは炭素数１〜３のアルキル硫酸エステル塩が好適である。
【００２７】
両性界面活性剤（以下（ｄ４）成分という）としては下記一般式（４）又は一般式（５）で表される化合物から選ばれる少なくとも１種が洗浄効果の点から好ましい。
【００２８】
【化２】
0004818657.tif 000003
【００２９】
［式中、Ｒ4aは炭素数８〜１６、好ましくは１０〜１６、特に好ましくは１０〜１４の直鎖アルキル基又はアルケニル基であり、Ｒ4c及びＲ4dはそれぞれ独立に、炭素数１〜３のアルキル基又はヒドロキシアルキル基であり、好ましくはメチル基、エチル基又はヒドロキシエチル基である。Ｒ4bは炭素数１〜５、好ましくは２又は３のアルキレン基である。Ａは−ＣＯＯ−、−ＣＯＮＨ−、−ＯＣＯ−、−ＮＨＣＯ−、−Ｏ−から選ばれる基であり、ｓは０又は１の数である。］
【００３０】
【化３】
0004818657.tif 000004
【００３１】
［式中、Ｒ5aは炭素数９〜２３、好ましくは９〜１７、特に好ましくは９〜１５のアルキル基又はアルケニル基であり、Ｒ5bは炭素数１〜６、好ましくは２又は３のアルキレン基である。Ｂは−ＣＯＯ−、−ＣＯＮＨ−、−ＯＣＯ−、−ＮＨＣＯ−、−Ｏ−から選ばれる基であり、ｔは０又は１の数である。Ｒ5c及びＲ5dはそれぞれ独立に、炭素数１〜３のアルキル基又はヒドロキシアルキル基であり、Ｒ5eはヒドロキシ基で置換していてもよい炭素数１〜５、好ましくは１〜３のアルキレン基である。Ｄは−ＣＯＯ-、−ＳＯ3-、−ＯＳＯ3-から選ばれる基である。］
本発明において、（ｄ）成分としては、（ｄ１）及び（ｄ２）から選ばれる界面活性剤が好適であり、特に（ｄ２）成分を含有することが洗浄効果の点から最も好ましく、特にオキシエチレン基及び／又はオキシプロピレン基を有するポリオキシアルキレンアルキルエーテル型非イオン界面活性剤が好適であり、一般式（２）において、ｍが８〜１２、ｎが０〜３のポリオキシアルキレンアルキルエーテル型非イオン界面活性剤が最も好ましい。
【００３２】
［液体漂白剤組成物及び液体漂白洗浄剤組成物］
本発明の液体漂白剤組成物は、必須成分として、（ａ）成分、（ｂ）成分及び（ｃ）成分を含有する。本発明の組成物中の（ａ）成分の含有量は、漂白効果を得る観点から、０．１〜３０質量％が好ましく、０．５〜１０質量％がより好ましく、１〜６質量％が更に好ましい。（ｂ）成分の含有量は、優れた漂白効果を発現させる観点から、０．１〜１０質量％が好ましく、０．１〜６質量％がより好ましく、０．１〜３質量％が更に好ましい。（ｃ）成分は、（ｂ）成分の安定性を改善する観点から、（ｂ）成分と（ｃ）成分のモル比が、（ｂ）／（ｃ）＝５〜３０であり、１０〜３０が好ましく、１５〜３０が更に好ましい。
【００３３】
本発明では、（ｂ）成分と（ｃ）成分の比率をコントロールすることで、界面活性剤ミセル中で（ｂ）成分と（ｃ）成分がコンプレックスを形成して過酸化水素との反応を抑制し、（ｂ）成分の安定性を著しく向上させることができる。
【００３４】
本発明の組成物は、優れた洗浄性を付与する観点から、（ｄ）成分を含有することが好ましく、組成物中の（ｄ）成分の含有量は１０〜４０質量％が好ましく、１５〜４０質量％がより好ましく、２０〜３５質量％が更に好ましい。
【００３５】
本発明の組成物は、ｐＨ４〜７、好ましくは４．６〜７、更に好ましくは５〜７において、漂白活性化剤の安定化を実現でき、貯蔵後でも優れた漂白洗浄性能を有し、液体漂白剤組成物及び液体漂白洗浄剤組成物として有用である。ｐＨは、冷却後（２０℃）のｐＨを、（株）堀場製作所製ｐＨメータＦ５２、ｐＨ電極６３６７−Ｓ００４を用いて測定したものである。
【００３６】
ｐＨ調整剤としては、塩酸、硫酸、燐酸などの無機酸を酸剤として用いることができ、水酸化ナトリウム、水酸化カリウム、炭酸ナトリウム、炭酸カリウム等をアルカリ剤として用いることができる。
【００３７】
本発明の組成物は、更に漂白効果を向上させる観点から（ｅ）成分として金属イオン封鎖剤を含有することが好ましい。本発明に用いられる金属イオン封鎖剤としては、ホスホン酸基又はホスホン酸塩基を有する化合物が好ましい。具体的なホスホン酸基又はホスホン酸塩基を有する化合物としては、エタン−１，１−ジホスホン酸、エタン−１，１，２−トリホスホン酸、エタン−１−ヒドロキシ−１，１−ジホスホン酸、エタンヒドロキシ−１，１，２−トリホスホン酸、エタン−１，２−ジカルボキシ−１，２−ジホスホン酸、メタンヒドロキシホスホン酸から選ばれるホスホン酸又はこれらのアルカリ金属塩もしくはアルカノールアミン塩、２−ホスホノブタン−１，２−ジカルボン酸、１−ホスホノブタン−２，３，４−トリカルボン酸、α−メチルホスホノコハク酸から選ばれるホスホノカルボン酸又はこれらのアルカリ金属塩もしくはアルカノールアミン塩を挙げることができ、好ましくはホスホン酸又はこれらのアルカリ金属塩であり、エタン−１−ヒドロキシ−１，１−ジホスホン酸又はこれらのアルカリ金属塩が最も好ましい。
【００３８】
組成物中の（ｅ）成分の含有量は０．０５質量％以上０．３質量％未満が好ましく、０．１〜０．２５質量％がより好ましく、０．１５〜０．２質量％が特に好ましい。
【００３９】
本発明の組成物にはｐＨジャンプ効果を賦与するため、即ち、保存時の組成物のｐＨを低く維持し、使用場面での希釈時にはｐＨ値を高めるために、（ｆ）成分としてホウ素化合物を含有することが好ましい。ホウ素化合物としては、ホウ酸、ホウ酸ナトリウム、ホウ酸カリウム、ホウ酸アンモニウム、４ホウ酸ナトリウム、４ホウ酸カリウム、４ホウ酸アンモニウム等が挙げられる。ホウ素化合物の中では、ジ体を主成分とすることが希釈溶液のｐＨを９以上１０．５未満にするために好適であり、本発明の組成物中においてホウ素化合物の７０〜１００モル％がジ体であることが好ましい。モノ体の含有量はホウ素化合物の５モル％未満が好ましく、単独で存在するホウ酸、ホウ砂及びホウ酸塩の含有量をホウ素化合物の２５モル％未満になるようにすることが好適である。
【００４０】
組成物中の（ｆ）成分の含有量は、ホウ素原子として、０．０５〜１質量％が好ましく、０．１５〜０．５質量％が更に好ましく、０．２〜０．４質量％が特に好ましい。
【００４１】
本発明の組成物には、高希釈条件でのｐＨコントロール効果を維持するために、（ｇ）成分として糖類等のポリオール化合物を含有することが好ましい。ポリオール化合物としては、下記（１）〜（４）の化合物が好適である。
【００４２】
（１）グリセリン、ジグリセリン、トリグリセリン、アルキル基の炭素数１〜１０のアルキルグリセリルエーテル、アルキルジグリセリルエーテル、アルキルトリグリセリルエーテル；エチレングリコール、１，２−プロピレングリコールから選ばれるグリセロール類又はグリコール類
（２）ソルビトール、マンニトール、マルチトース、イノシトール、フィチン酸から選ばれる糖アルコール類
（３）グルコース、アピオース、アラビノース、ガラクトース、リキソース、マンノース、ガロース、アルドース、イドース、タロース、キシロース、フルクトースから選ばれる還元糖類
（４）デンプン、デキストラン、キサンタンガム、グアガム、カードラン、プルラン、アミロース、セルロースから選ばれる多糖類。
【００４３】
本発明では、特に上記（２）の糖アルコール類が好適であり、特にソルビトールが安定性及び漂白／洗浄効果の点から好適である。
【００４４】
また、ポリオール化合物が過剰に存在すると過酸化水素の安定性を損なう恐れがあるため、優れたｐＨジャンプ効果及び過酸化水素の安定性の両方を満足させる観点から、ポリオール化合物とホウ素化合物の割合は、ポリオール化合物／ホウ素化合物のモル比（ただし、ホウ砂及び四ホウ酸ナトリウムの場合はホウ素原子を４個含むため、４当量と考える）で、好ましくは１．５〜２．７、更に好ましくは２．０〜２．７、特に好ましくは２．２〜２．７である。
【００４５】
組成物中の（ｇ）成分の含有量は、３〜３５質量％が好ましく、５〜３０質量％がより好ましく、７〜２０質量％が特に好ましい。
【実施例】
【００４６】
実施例１〜７及び比較例１〜６
下記成分を用い、表１に示す組成の液体漂白剤組成物を調製した。この液体漂白剤組成物について、下記方法で漂白活性化剤の貯蔵安定性を評価した。結果を表１に示す。
【００４７】
＜配合成分＞
ａ−１；過酸化水素
ｂ−１；上記式（１−１）で表される漂白活性化剤
ｂ−２；上記式（１−３）で表される漂白活性化剤
ｃ−１；ＡｇＮＯ3
ｃ−２；ＩｒＣｌ3
ｃ−３；ＭｏＯ2
ｃ'−１；ＦｅＳＯ4
ｃ'−２；硫酸マグネシウム
ｄ−１；ラウリルベンゼンスルホン酸ナトリウム
ｄ−２；ポリオキシエチレンラウリルエーテル（オキシエチレン平均付加モル数８、ＨＬＢ１３．１）
ｄ−３；Ｃ12Ｈ25Ｏ-(Ｃ2Ｈ4Ｏ)7-（Ｃ3Ｈ6Ｏ)2-（Ｃ2Ｈ4Ｏ)4-Ｈ
ｅ−１；金属イオン封鎖剤；エタン−１−ヒドロキシ−１，１−ジホスホン酸（デイクエスト２０１０（ソルーシア社製デイクエスト））
＜漂白活性化剤の貯蔵安定性評価法＞
液体漂白剤組成物を１００ｍＬガラス製サンプルビンに８０ｇ入れ、２０℃で２ヶ月間貯蔵した。貯蔵前後の液体漂白剤組成物中の漂白活性化剤の含有量を高速液体クロマトグラフィーで測定し、下式により漂白活性化剤残存率を求めた。
【００４８】
【数１】
0004818657.tif 000005
【００４９】
【表１】
0004818657.tif 000006